(57)【要約】【課題】  噴霧液滴の連続膜を有効に途切れさせることができ、しかも、噴霧竿の清掃も容易且つ確実に行うことができる静電噴霧装置を提供する。【解決手段】  静電噴霧部２を前部に有する噴霧竿４を備えている静電噴霧装置であって、前記噴霧竿４は、前後双方へ向けて開口する環状隙間２０を画成する外筒部１９を備える。前記環状隙間２０内には噴霧液滴が入り込み難いので、前記噴霧竿４に付着する噴霧液滴の連続膜は、前記環状隙間２０で途切れることになる。また、前記環状隙間２０が前後双方へ向けて開口しているので、該環状隙間２０内に供給した洗浄水がその内部に残留してしまうことがない。【選択図】    図３
2008100165.tif 000002
【特許請求の範囲】
【請求項１】
静電噴霧部（２）を前部に有する噴霧竿（４）を備えている静電噴霧装置（１）であって、前記噴霧竿（４）は、前後双方へ向けて開口する環状隙間（２０）を画成する外筒部（１９）を備えている、静電噴霧装置。
【請求項２】
前記外筒部（１９）の前部に、少なくとも二連の鍔部（３１）を備えている、請求項１に記載の静電噴霧装置。
【請求項３】
前記外筒部（１９）は、前記噴霧竿（４）の支持強度を高めるために該噴霧竿（４）の長さ方向に延びるリブ（２２）を備えている、請求項１又は２に記載の静電噴霧装置。
【請求項４】
前記噴霧竿（４）は、前記外筒部（１９）より後方の位置に鍔部（２８）を備えている、請求項１，２又は３に記載の静電噴霧装置。
【請求項５】
前端部（１４ｆ）で静電噴霧部（２）を支持する竿体（１４）に取り付けられるグリップ（１７）であって、前記竿体（１４）の前後双方へ向けて開口する環状隙間（２０）を画成する外筒部（１９）を備えている、静電噴霧竿用グリップ。
【請求項６】
前記外筒部（１９）の前部に、少なくとも二連の鍔部（３１）を備えている、請求項５に記載の静電噴霧竿用グリップ。
【請求項７】
前記竿体（１４）に対する前記外筒部（１９）の強度を高めるために前記竿体（１４）の長さ方向に延びるリブ（２２）を備えている、請求項５又は６に記載の静電噴霧竿用グリップ。
【請求項８】
前記外筒部（１９）を前記竿体（１４）に固定するための固定具（２８）を備え、該固定具は、グリップ固定状態において前記外筒部（１９）より後方の位置に鍔部（２８）を形成する、請求項５，６又は７に記載の静電噴霧竿用グリップ。
【発明の詳細な説明】
【技術分野】
【０００１】
本発明は、農薬等の噴霧液滴に電荷を付与して農作物等に対する薬液の付着を十分に行えるようにする静電噴霧装置に関する。本発明はまた、静電噴霧竿用グリップに関する。
【背景技術】
【０００２】
前記静電噴霧装置の一種として、噴霧竿の前部に静電噴霧部を備え、前記噴霧竿の後端部側を手などで保持して静電噴霧作業を行うものが、下記特許文献１に記載されている。
【０００３】
この種の噴霧装置においては、電荷を帯びた微小な噴霧液滴が前記噴霧竿にも付着し易い。そして、長時間にわたって噴霧作業をしていると、付着した噴霧液滴は流動するほどに成長することはないものの、前記噴霧竿の表面に噴霧液滴の連続膜が形成され、この連続膜は、前記静電噴霧部側から作業者の手元側へと延びてくる。農薬の前記連続膜は導電性を有するため、連続膜が作業者の手元にまで達してしまうと、前記噴霧竿のグリップを把持する作業者を介して短絡や感電等の問題が起こる。
【０００４】
そこで前記特許文献１では、噴霧竿の長さ方向の途中部に、全周に渡る環状凹部を設けることが提案されている。この環状凹部として、その奥行きが前記噴霧竿の長さ方向に延びるものが記載され、さらに、前記噴霧竿のグリップにおける前端部側に前記環状凹部を設けることが記載されている。そして、前記構成を備えたことにより、液滴の連続膜を前記環状凹部で確実に途切れさせることができるとされている。
【特許文献１】特開２００５−１９３２２５号公報（図１参照）
【発明の開示】
【発明が解決しようとする課題】
【０００５】
前記特許文献１のものにおいては、前記環状凹部の奥底部は完全に閉じられている。これは、凹部（環状凹部）という要素名から必然と言うことができ、現に、開示されている実施の形態の全てに共通する特徴である。
【０００６】
前記特許文献１のものでも、噴霧作業を長時間連続して行えば、前記環状凹部内へ噴霧液滴が入り込むことは避けられない。このため、前記噴霧竿の清掃時には、前記環状凹部内に入り込んだ農薬を完全に除去することが必要となる。
【０００７】
しかしながら、前記環状凹部の奥底部は閉じているので、洗浄のために使用した水が抜けにくく、前記環状凹部の奥底まで十分に清掃することが難しい。
【０００８】
本発明は、このような事情に鑑みてなされたもので、噴霧液滴の連続膜を有効に途切れさせることができ、しかも、噴霧竿の清掃も容易且つ確実に行うことができる静電噴霧装置を提供しようとするものである。
【０００９】
本発明はまた、噴霧液滴の連続膜を有効に途切れさせることができ、しかも、噴霧竿の清掃も容易且つ確実に行うことができる静電噴霧竿用グリップを提供しようとするものである。
【課題を解決するための手段】
【００１０】
前記課題を解決するため、本発明に係る静電噴霧装置は、静電噴霧部を前部に有する噴霧竿を備えている静電噴霧装置であって、前記噴霧竿は、前後双方へ向けて開口する環状隙間を画成する外筒部を備えたことを特徴とする（請求項１）。
【００１１】
本発明によれば、前記環状隙間内には噴霧液滴が入り込み難いので、前記噴霧竿に付着する噴霧液滴の連続膜は、前記環状隙間で途切れることになる。これにより、静電噴霧部の高電位が、導電性を有する前記連続膜を通じて前記環状隙間より後方へ伝達されることが防止され、漏電、短絡、感電等が防止される。
【００１２】
加えて、本発明によれば、前記環状隙間が前後双方へ向けて開口しているので、該環状隙間内に供給した洗浄水がその内部に残留してしまうことがない。このため、前記環状隙間に噴霧液滴が入り込んでしまっても、その内部を容易且つ確実に清掃することができる。また、洗浄作業後等に前記静電噴霧部を上にして前記噴霧竿を立て掛けたときに、該噴霧竿を伝って流れる液滴が前記環状隙間内に溜まってしまうことも防止される。さらに、噴霧作業中に噴霧竿が水をかぶる等の不測の理由で前記噴霧竿の前方から該噴霧竿の表面を伝って液滴が流れ落ちてきた場合でも、その液滴は前記環状隙間を通過するので、作業者が前記外筒部を把持していれば感電等の問題もない。
【００１３】
好適な実施の一形態として、前記外筒部の前部に、少なくとも二連の鍔部を備えることもできる（請求項２）。この場合、前記外筒部の前部の表面積が、前記少なくとも二連の鍔部を設けた分だけ大きくなるので、前記外筒部の前部表面への噴霧液滴の付着に時間がかかる。よって、噴霧液滴の連続膜ができ難くなり、好適である。加えて、前記少なくとも二連の鍔部を前記噴霧竿の長さ方向へと通過する気流は、鍔部から液滴を剥離させる作用を奏する。よって、前記少なくとも二連の鍔部に噴霧液滴が付着しても、その噴霧液滴の連続膜が断ち切られて好適である。
【００１４】
好適な実施の一形態として、前記外筒部は、前記噴霧竿の支持強度を高めるために該噴霧竿の長さ方向に延びるリブを備えることもできる（請求項３）。このようにすれば、作業者が前記外筒部を把持して前記噴霧竿を支持した場合でも、強度上問題はない。
【００１５】
好適な実施の一形態として、前記噴霧竿が、前記外筒部より後方の位置に鍔部を備えたものとすることもできる（請求項４）。このようにすれば、液滴が前記環状隙間を流下したとしても、前記鍔部より後方への流下が防止されるので、好適である。
【００１６】
本発明に係る静電噴霧竿用グリップは、前端部で静電噴霧部を支持する竿体に取り付けられるグリップであって、前記竿体の前後双方へ向けて開口する環状隙間を画成する外筒部を備えたことを特徴とする（請求項５）。
【００１７】
本発明のグリップによれば、前記環状隙間内には噴霧液滴が入り込み難いので、前記竿体に付着する噴霧液滴の連続膜は、前記環状隙間で途切れることになる。これにより、静電噴霧部の高電位が、導電性を有する前記連続膜を通じて前記環状隙間より後方へ伝達されることが防止され、漏電、短絡、感電等の発生が防止される。
【００１８】
加えて、本発明のグリップによれば、前記環状隙間が前後双方へ向けて開口しているので、該環状隙間内に供給した洗浄水がその内部に残留してしまうことがない。このため、前記環状隙間に噴霧液滴が入り込んでしまっても、その内部を容易且つ確実に清掃することができる。また、洗浄作業後等に前記静電噴霧部を上にして前記竿体を立て掛けたときに、該竿体を伝って流れる液滴が前記環状隙間内に溜まってしまうことも防止される。さらに、噴霧竿が水をかぶる等の不測の理由で前記竿体の前方から該竿体の表面を伝って液滴が流れ落ちてきた場合でも、その液滴は前記環状隙間内を通過するので、前記グリップを握っている作業者が感電してしまう等の問題もない。
【００１９】
好適な実施の一形態として、前記外筒部の前部に、少なくとも二連の鍔部を備えることもできる（請求項６）。
【００２０】
また、他の実施の一形態として、前記竿体に対する前記外筒部の強度を高めるために前記竿体の長さ方向に延びるリブを備えることもできる（請求項７）。
【００２１】
好適な実施の一形態として、前記外筒部を前記竿体に固定するための固定具を備え、該固定具は、グリップ固定状態において前記外筒部より後方の位置に鍔部を形成するものとしてもよい（請求項８）。
【発明を実施するための最良の形態】
【００２２】
以下、添付図面を参照して、本発明の実施の一形態について説明する。
【００２３】
図１は、本発明の実施の一形態に係る静電噴霧装置の一部切欠側面図、図２は、図１の前グリップの斜視図、図３は、図１の前グリップの断面図、図４は、図３のＩＶ−ＩＶ矢視断面図である。
【００２４】
本実施の形態に係る静電噴霧装置１は、導電性液体の噴霧液滴Ｓを帯電させ、対象物に効率的に付着させるための装置であり、例えば、農作物に農薬や肥料等を噴霧するのに用いて好適なものである。
【００２５】
図１に示すように、前記静電噴霧装置１は、前部に静電噴霧部２を有し、後部に操作部３を有する手持式の噴霧竿４を備えている。前記操作部３は、散布コック５と、電源スイッチ６と、作業者が片手で把持するのに適する形状の後グリップ７を備えている。該後グリップ７内には、電源としての蓄電池８が取り替え可能に収納されている。
【００２６】
前記静電噴霧部２は、液体を液滴状又は粒子状にして拡散させて噴霧する噴霧ノズル９と、該噴霧ノズル９の前方に同心に配設された環状電極１０を備えている。噴霧液タンク１１内の液体は、ポンプ１２によって前記噴霧ノズル９へと圧送される。同時に、前記蓄電池８から前記環状電極１０へと静電付与に必要な電力が供給される。前記噴霧ノズル９から噴霧された液滴Ｓは、拡散しながら前記環状電極１０内の空間を通って大気中に放出される。前記噴霧液滴Ｓには、前記環状電極１０内を通過する際に、該環状電極１０により電荷が付与される。このため、逆極性を有する対象物への前記噴霧液滴の付着性が向上する。
【００２７】
本実施の形態では、安全性を向上させ且つ送電時の電圧損失を抑制するために、前記環状電極１０の近傍に昇圧器１３を配設してある。該昇圧器１３は、前記蓄電池８から６Ｖ程度の低電圧で供給される電力の電圧を、例えば４．５ｋＶ程度まで昇圧して前記環状電極１０へと供給する。
【００２８】
前記噴霧竿４は、竿体として、耐薬品性の良好なプラスチック製等の細長い竿管１４を備えている。該竿管１４の前端部１４ｆに前記静電噴霧部２が支持され、前記竿管１４の後端部１４ｒに前記操作部３が支持されている。前記竿管１４内には、前記昇圧器１３へと電力を供給する電気配線１５と、前記噴霧ノズル９へと噴霧液を供給する送液配管１６が収納されている。
【００２９】
また、前記竿管１４には、前記前端部１４ｆと前記後端部１４ｒとの間の適宜の位置に、前グリップ１７が取り付けられている。該前グリップ１７の後方には、図示しない肩掛け紐を連結するための吊下げ環１８が取り付けられている。作業者は、前記噴霧竿４を前記肩掛け紐で吊下げ支持し、前記前グリップ１７と前記後グリップ７とを握って噴霧作業を行うことができる。
【００３０】
前記噴霧竿４は、前後双方へ向けて開口する環状隙間２０を画成する外筒部１９を備えている。本実施の形態では、前記前グリップ１７が前記外筒部１９を備えたものとされている。しかしこれには限定されず、前記前グリップ１７とは無関係なものとして前記外筒部１９を配設してもよい。
【００３１】
図３に示すように、前記前グリップ１７は、前記外筒部１９と、該外筒部１９内に同心に配設された内筒部２１と、前記外筒部１９と前記内筒部２１の間に配設されたリブ２２を備えている。このリブ２２は、前記外筒部１９の内周面２３と前記内筒部２１の外周面２４との間に空間部を形成するスペーサーとしても機能する。前記前グリップ１７は、耐薬品性及び電気絶縁性を有するプラスチック等の材料で形成されている。
【００３２】
前記内筒部２１は、その全長にわたって同一の内径を有し、その内径寸法は、前記竿管１４の外周面に嵌り合う寸法とされている。前記内筒部２１の前端面２１ｆは、前記外筒部１９の前端面１９ｆより後方に位置している。同様に、前記内筒部２１の後端面２１ｒも、前記外筒部１９の後端面１９ｒより後方に位置している。
【００３３】
前記外筒部１９は、前記内筒部２１の外径より大きい内径を有している。前記リブ２２又はスペーサーは、前記外筒部１９の前記内周面２３と前記内筒部２１の前記外周面２４とを半径方向に連結しており、且つ、前記内筒部２１の前記前端面２１ｆから前記外筒部１９の前記後端面１９ｒまで、前記前グリップ１７（前記噴霧竿４）の長さ方向に延びている。
【００３４】
前記リブ２２は、前記内筒部２１の回りに等角度間隔で複数設けられる。一例として、本実施の形態では、図４に示すように、前記リブ２２を四つ設けている。前記リブ２２は、前記内筒部２１と前記外筒部１９を強固に連結し、作業者が前記前グリップ１７を握って前記噴霧竿４を支持する場合の支持強度を保証する。前記リブ２２を設けたことで、前記外筒部１９の前記内周面２３と前記内筒部２１の前記外周面２４との間には、前記噴霧竿４の長さ方向に延びる複数の中空部Ｈが区画形成されることになる。これら複数の中空部Ｈは、前記噴霧竿４の後方へ向けて開放されている。
【００３５】
前記内筒部２１において、前記外筒部１９から後方への延び出し部２５は、前記前グリップ１７を前記竿管１４に固定するための固定部となる。すなわち、図２に示すように、前記延び出し部２５には、前記内筒部２１の長さ方向に延びる複数のスリット２６が形成されている。締付固定具として、対をなす二つのリング半体２７，２７の組み合わせからなるリング状ファスナー２８を用いる。このリング状ファスナー２８も、耐薬品性及び電気絶縁性を有するプラスチック等の材料で形成する。前記一対のリング半体２７，２７で前記延び出し部２５の外周面を取り囲み、タッピンねじ２９等で前記一対のリング半体２７，２７をリング状に結合させる。これにより、前記延び出し部２５がその内径を縮小する方向へと締め付けられて、前記前グリップ１７が前記竿管１４にしっかりと固定される。
【００３６】
前記リング状ファスナー２８は、グリップ固定状態において前記外筒部１９より後方の位置で前記内筒部２１上に鍔部を形成する。本実施の形態では、前記リング状ファスナー２８が前記鍔部を兼ねている。
【００３７】
なお、図３に示すように、前記延び出し部２５の長さ方向における前記リング状ファスナー２８の取り付け位置は、前記外筒部１９の前記後端面１９ｒと前記リング状ファスナー２８との間に間隙Ｃｒを有する位置とする。これは、前記外筒部１９と前記内筒部２１との間の前記複数の中空部Ｈを前記噴霧竿４の後方へと開放しておくためである。また、前記延び出し部２５の後端部には、前記リング状ファスナー２８の抜け落ちを防止するための突部３０が設けられている。
【００３８】
同じく図３に示すように、前記内筒部２１の前方には、前記外筒部１９の前側内周面２３ｆと前記竿管１４の外周面とによって、前記環状隙間２０が形成される。この環状隙間２０は、前記前グリップ１７の前後双方へ向けて開口している。本実施の形態では、前記環状隙間２０は、前記リブ２２で区画された前記複数の中空部Ｈを介して、前記前グリップ１７の後方へと開口している。
【００３９】
前記環状隙間２０は、前記竿管１４と前記前グリップ１７との間に噴霧液滴の連続膜ができるのを阻止する作用を奏する。すなわち、前記静電噴霧部２から放出された微小な噴霧液滴Ｓは、大気中を浮遊して前記竿管１４の外表面にも付着する。噴霧作業を長時間連続して行うと、付着した噴霧液滴は流動するほどに成長することはないものの、噴霧液滴の付着エリアは前記噴霧竿４の後方へと広がり、やがて前記前グリップ１７（前記外筒部１９）の外表面にも噴霧液滴が付着するようになる。前記竿管１４の外表面の噴霧液滴の膜と前記外筒部１９の外表面の噴霧液滴の膜が繋がってしまうと、前記前グリップ１７を握る作業者の手で高電圧リークが生じたり感電が起こったりする危険がある。しかし、本実施の形態では、前記竿管１４と前記外筒部１９との間に前記環状隙間２０を設けてあり、該環状隙間２０内へは噴霧液滴が入り込み難いことから、前記竿管１４の外表面の噴霧液滴の膜と前記前グリップ１９の外表面の噴霧液滴の膜が繋がってしまうことが防止されるので、前記のような問題は生じない。
【００４０】
本実施の形態では、前記環状隙間２０が前記前グリップ１７の前後双方へ向けて開口しているので、前記環状隙間２０に噴霧液滴が入り込んでしまっても、洗浄水で前記前グリップ１７の内部を容易且つ確実に清掃することができる。また、洗浄作業後等に前記静電噴霧部２を上にして前記噴霧竿４を立て掛けたときに、前記竿管１４を伝って流れる液滴が前記環状隙間２０内に溜まってしまうことも防止される。さらに、噴霧作業中に噴霧竿４が水をかぶる等の不測の理由で前記噴霧竿４の前方から前記竿管１４の表面を伝って液滴が流れ落ちてきた場合でも、その液滴は前記環状隙間２０及び前記複数の中空部Ｈを通過するので、作業者が前記前グリップ１７を把持していれば感電等の問題もない。
【００４１】
また、本実施の形態では、前記前グリップ１７の前記外筒部１９より後方の位置に、前記リング状ファスナー２８が鍔部として配設されている。このため、前記竿管１４の表面を流下した液滴が前記環状隙間２０及び前記複数の中空部Ｈを通過したとしても、前記リング状ファスナー２８より後方への流下が阻止されるので、好適である。
【００４２】
本実施の形態では、前記外筒部１９の前記前側内周面２３ｆと前記竿管１４の外周面とによって前記環状隙間２０が画成されているが、これには限定されず、図３において前記内筒部２１の前記前端部２１ｆを前記外筒部１９の前記前端面１９ｆの位置まで延長して、前記外筒部１９の前側内周面１９ｆと内筒部の前方延長部の外周面とによって前記環状隙間２０を画成してもよい。少なくとも、前記外筒部１９の前側内周面２３ｆが前記環状隙間２０の画成に関与していればよい。
【００４３】
また、他の実施の形態として、前記内筒部２１を省略し、前記リブ２２が前記竿管１４の外表面に接触する構成としてもよい。
【００４４】
なお、前記前グリップ１７の長さ方向における前記環状隙間２０の形成範囲と前記リブ２２の形成範囲との比率は、前記環状隙間２０による噴霧液滴の連続膜の遮断効果と、前記リブ２２による前記前グリップ１７の強度向上効果とを勘案して適宜に決定することができる。
【００４５】
簡略化のために本実施の形態では図示を省略しているが、前記外筒部１９の表面には、他の様々なグリップと同じく、手指の形状に合わせた凹凸を形成したり、滑り止め加工を施したりすることができる。
【００４６】
前記前グリップ１７は、前記外筒部１９の前部の外周に、少なくとも二連（図示例では三連）の鍔部３１を備えている。この場合、前記外筒部１９の前部の表面積が、前記少なくとも二連の鍔部３１を設けた分だけ大きくなるので、前記外筒部１９の前部表面への噴霧液滴の付着に時間がかかる。よって、前記前グリップ１７に噴霧液滴の連続膜ができ難くなる。加えて、前記少なくとも二連の鍔部３１を乗り越えるように前記噴霧竿４の長さ方向へと通過する気流は、鍔部３１から液滴を剥離させる作用を奏する。よって、前記少なくとも二連の鍔部３１に噴霧液滴が付着しても、その噴霧液滴の連続膜が断ち切られて好適である。
【００４７】
前記少なくとも二連の鍔部３１は、前記外筒部１９と予め一体に成形されたものであってもよいし、耐薬品性及び電気絶縁性を有するプラスチック等の材料で前記外筒部１９とは別体に形成したものをその外周に固着したものであってもよい。
【００４８】
前記前グリップ１７の前方にも、前記外筒部１９の前記前端面１９ｆとの間に間隔Ｃｆをおいて、鍔部３２が配設されている。この鍔部３２も、耐薬品性及び電気絶縁性を有するプラスチック等の材料で形成する。前記鍔部３２は、前記前グリップ１７の前方において前記噴霧竿４の表面積を大きくし、噴霧液滴の膜の形成を遅らせる。また、前記鍔部３２は、前記環状隙間２０に噴霧液滴が入り込み難くする。前記鍔部３２も、液滴の膜の形成を遅らせ、且つ、液滴剥離効果を奏するように、少なくとも二連形成するのが好ましい。また、前記鍔部３２は、前記竿管１４と予め一体に成形されたものであってもよいし、該竿管１４とは別体に形成したものをその外周に固着したものであってもよい。
【図面の簡単な説明】
【００４９】
【図１】本発明の実施の一形態に係る静電噴霧装置の一部切欠側面図である。
【図２】図１の前グリップの斜視図である。
【図３】図１の前グリップの断面図である。
【図４】図３のＩＶ−ＩＶ矢視断面図である。
【符号の説明】
【００５０】
１    静電噴霧装置
２    静電噴霧部
４    噴霧竿
１４  竿体（竿管）
１４ｆ  竿体の前端部
１７  グリップ（前グリップ）
１９  外筒部
２０  環状隙間
２２  リブ（スペーサー）
２８  鍔部（固定具）
３１  少なくとも二連の鍔部
【図１】
2008100165.tif 000003
【図２】
2008100165.tif 000004
【図３】
2008100165.tif 000005
【図４】
2008100165.tif 000006